(57)【要約】      （修正有）【課題】ズレ防止に優れた衛生マスクを提供する。【解決手段】衛生マスクＡは、マスク本体１０にズレ防止鼻当手段１１を組込んでおり、ズレ防止鼻当手段は、折曲げ可能な短冊状の板片で構成されており、マスク本体は、該マスク本体の上辺部にズレ防止鼻当手段を保持する保持手段１０ｂを備えている。【選択図】図１
0003234951.tif 000002
【実用新案登録請求の範囲】
【請求項１】
マスク本体にズレ防止鼻当手段を組込んだ衛生マスクにおいて、
前記ズレ防止鼻当手段は、折曲げ可能な短冊状の板片で構成されており、
前記マスク本体は、該マスク本体の上辺部に前記ズレ防止鼻当手段を保持する保持手段を備えていることを特徴とする、衛生マスク。
【請求項２】
請求項１において、
前記保持手段は、前記ズレ防止鼻当手段を隠蔽するカバー部を備えていることを特徴とする、衛生マスク。
【請求項３】
マスク本体にズレ防止鼻当手段を組込んだ衛生マスクにおいて、
前記ズレ防止鼻当手段は、折曲げ可能な短冊状の板片と、この板片を、長手方向の中心線を折目として前記マスク本体の上辺部を挟んで二つ折りすることで前記板片を前記マスク本体に固定するようにしている、衛生マスク。
【請求項４】
請求項１乃至３のいずれか一項において、
前記マスク本体は、不織布からなることを特徴とする、衛生マスク。
【請求項５】
請求項１乃至３のいずれか一項において、
前記マスク本体は、ガーゼ布からなることを特徴とする、衛生マスク。
【考案の詳細な説明】
【技術分野】
【０００１】
本考案は、衛生マスクの改良に関する。
【背景技術】
【０００２】
近時、新コロナの対策として特に戸外においては衛生マスクの着用が強く推奨されている。そのための衛生マスクとしては不織布で構成されたものが主流になっているが、不織布マスクの場合、着用時に鼻部分と密着できるように上辺部にワイヤが内装されている。このような衛生マスクは多々販売されているが、その一例を次の非特許文献に示す。
【先行技術文献】
【非特許文献】
【０００３】
【非特許文献１】https://jp.unicharm-mask.com/ja/products/cho-kaiteki.html
【考案の概要】
【考案が解決しようとする課題】
【０００４】
しかしながら衛生マスクの上辺部に内装されるワイヤはかなり柔軟なものであるから、ズレ防止の効果は不十分なことが多いという問題があった。
これに対して本考案は、ズレ防止に優れた衛生マスクを提供することを目的とする。
【課題を解決するための手段】
【０００５】
本考案による衛生マスクは、マスク本体にズレ防止鼻当手段を組込んでおり、前記ズレ防止鼻当手段は、折曲げ可能な短冊状の板片で構成されており、前記マスク本体は、該マスク本体の上辺部に前記ズレ防止鼻当手段を保持する保持手段を備えていることを特徴とする。
【０００６】
また本考案による衛生マスクは、マスク本体にズレ防止鼻当手段を組込んでおり、前記ズレ防止鼻当手段は、折曲げ可能な短冊状の板片と、この板片を、長手方向の中心線を折目として前記マスク本体の上辺部を挟んで二つ折りすることで前記板片を前記マスク本体に固定するようにしている。
【考案の効果】
【０００７】
本考案では、衛生マスクを装着したときにズレが防止されるとともに、鼻とマスク本体とがよく密着する。
【図面の簡単な説明】
【０００８】
【図１】（ａ）はズレ防止鼻当手段を分離した衛生マスクの実施例の背面図、（ｂ）はズレ防止鼻当手段を組込んだ衛生マスクの背面図である。
【図２】衛生マスクを斜め後方から見た全体斜視図である。
【図３】（ａ）はズレ防止鼻当手段を分離した衛生マスクの他例の背面図、（ｂ）はズレ防止鼻当手段を組込んだ衛生マスクの背面図である。
【図４】（ａ）、（ｂ）はズレ防止鼻当具の二つ折り状態とされた正面図及び縦断面図、（ｃ）、（ｄ）は同ズレ防止鼻当具の展開状態とされた正面図及び縦断面図、（ｅ）はズレ防止鼻当具が組み合わせられた状態とされた衛生マスクの背面図である。
【図５】衛生マスクを斜め後方から見た全体斜視図である。
【考案を実施するための形態】
【０００９】
以下、本考案による衛生マスクの一実施例について説明する。
図１（ａ）はズレ防止鼻当手段を分離した衛生マスクの実施例の背面図、（ｂ）はズレ防止鼻当手段を組込んだ衛生マスクの背面図である。
【００１０】
衛生マスクＡは、マスク本体１０にズレ防止鼻当手段１１を組み合わせた構成になっている。
マスク本体１０は、基本的には従来と同様のものであって、不織布又はガーゼ布からなる長方形の部分と、その両側に設けられた耳掛ゴム紐１０ａとで構成されている。なお不織布からなるマスク本体１０は、顔面への装着性を考慮して上辺にワイヤを内装させてあってもよい。
【００１１】
ズレ防止鼻当手段１１は、折曲げ可能な短冊状の板片、例えば金属片１１ａで構成されている。ズレ防止鼻当手段１１の両端は引っかき防止のためにコーナー部分が丸められている。なおズレ防止鼻当手段１１の板片の素材は、特に限定されないが、手指によって容易に折曲げられ、かつその形状を保持するものが望ましく、厚み、幅は使い勝手を考慮して適宜調整される。また表面は樹脂や塗装によってカバーされていてもよく、抗菌作用を具備してもよい。またズレ防止鼻当手段１１の長さは、マスク本体１０の幅の１／３〜２／３程度でよい。
【００１２】
マスク本体１０の上辺部には、前記のようなズレ防止鼻当手段１１を保持する保持手段１０ｂが設けられている。具体的には、マスク本体１０でズレ防止鼻当手段１１の両端に対応する位置に、向かい合わせに開口した一対のポケット部材と、一対のポケット部材の中間位置に、ズレ防止鼻当手段１１を挿通させる挿通部材とを設けている。このような保持手段１０ｂによってマスク本体１０にズレ防止鼻当手段１１を挿入保持することが可能になる。
【００１３】
図２は、ズレ防止鼻当手段が組み合わせられた状態の衛生マスクの斜め後方から見た全体斜視図である。
この図に示すように、ズレ防止鼻当手段１１を鼻の形状に沿わせて折曲させれば、衛生マスクＡを装着したときにズレが防止されるとともに、鼻とマスク本体１０がよく密着する。
【００１４】
図３（ａ）はズレ防止鼻当手段を分離した状態とされた衛生マスクの他例の背面図、図３（ｂ）はズレ防止鼻当手段を組込んだ状態の衛生マスクの背面図である。
【００１５】
この例は、前記例の改良であって、保持手段１０ｂが、ズレ防止鼻当手段１１を隠蔽するカバー部１０ｃを備えていることが特徴である。カバー部１０ｃは、マスク本体１０と同一素材で一体に形成してもよい。このようなカバー部１０ｃを設ければ、マスクの装着感が改善され、また美観にも優れる。
【００１６】
以下、衛生マスクの他の実施例について説明する。
図４（ａ）、（ｂ）はこの実施におけるズレ防止鼻当具の二つ折り状態とされた正面図及び縦断面図である。また図４（ｃ）、（ｄ）は同ズレ防止鼻当具の展開状態とされた正面図及び縦断面図である。また図４（ｅ）はこの同ズレ防止鼻当具が組み合わせられた状態とされた衛生マスクの背面図である。
【００１７】
この例のズレ防止鼻当手段１１は、湾曲自在な短冊状の金属片１１ａを含み、かつ長手方向の中心線を折目１１ｂとしてマスク本体１０の上辺部を挟んで二つ折りすることでマスク本体１０に固定されることを特徴とするものである。
【００１８】
ズレ防止鼻当手段１１は例えばシリコン樹脂等により、長手方向の中心線を折目１１ｂとして、二つ折り状態が基本形状となるように形成されている。またズレ防止鼻当手段１１は手指によって一時的に展開することが可能であるが、手指を離せば元の二つ折り状態に自然復帰する。よってズレ防止鼻当手段１１は、マスク本体１０の上辺部を挟んで二つ折りすることでマスク本体１０に固定することが可能である。
【００１９】
図５は、ズレ防止鼻当手段が組み合わせられた状態の衛生マスクの斜め後方から見た全体斜視図である。
この図に示すように、ズレ防止鼻当手段１１を鼻の形状に沿わせて湾曲させれば、衛生マスクＡを装着したときにズレが防止されるとともに、鼻とマスク本体１０とがよく密着するのでマスク効果が改善される。
【符号の説明】
【００２０】
Ａ              衛生マスク
１０            マスク本体
１１            ズレ防止鼻当手段
１１ａ          金属片
１０ｂ          保持手段
１０ｃ          カバー部
１０ｄ          折目
【図１】
0003234951.tif 000003
【図２】
0003234951.tif 000004
【図３】
0003234951.tif 000005
【図４】
0003234951.tif 000006
【図５】
0003234951.tif 000007